(57)【要約】【課題】プリント配線板の検査治具の小径プランジャーの折れ曲がりを防止する。【解決手段】プリント配線板の検査治具１は、小径プランジャー３Ｘを突出自在に収容する治具ベース２と、小径プランジャー３Ｘを先端側に付勢するスプリング４とを備える。治具ベース２の先端側には、小径プランジャー３Ｘが突出自在な開口２１ａを有し、先端側に向かって進退自在な可動板２１が設けられ、治具ベース２には、大径プランジャー３Ｙを介して可動板２１を先端側に付勢するスプリング４が設けられ、可動板２１は、開口２１ａの先端側の縁が、小径プランジャー３Ｘの先端よりも先方側に位置するように配置され、プリント配線板Ｗと治具ベース２とが相対的に接近するように押し付けられることにより、可動板２１が基端側に移動し、小径プランジャー３Ｘが開口２１ａからプリント配線板Ｗの配線回路部分Ｗ１ａ，Ｗ２ａに接触する。【選択図】図２
2011252795.tif 000002
【特許請求の範囲】
【請求項１】
基端と尖形の先端との間の部分に抜止部を有する導電性の小径プランジャーと、
該小径プランジャーをその先端部が先端側に設けられた開口から突出自在に収容する治具ベースと、
該治具ベース内に設けられ、前記小径プランジャーの抜止部の先端側の段差部分と接触して該小径プランジャーの該治具ベース内からの脱落を防止する係止部と、
該治具ベースに収容され、該小径プランジャーを先端側に付勢する小径プランジャー用弾性部材とを備え、
前記小径プランジャーの先端をプリント配線板の配線回路に接触させ、前記小径プランジャーに電気的に接続される計測手段によって前記配線回路の検査を行うプリント配線板の検査治具において、
前記治具ベースの先端側には、前記小径プランジャーが突出自在な前記開口を有し、先端側に向かって進退自在な可動板が設けられ、
前記治具ベースには、該可動板を先端側に付勢する可動板用弾性部材が設けられ、
前記可動板は、該可動板用弾性部材の付勢力により、前記開口の先端側の縁が前記小径プランジャーの先端よりも先方側に位置するように配置され、
前記プリント配線板と前記治具ベースとが相対的に接近するように押し付けられることにより、前記可動板が前記可動板用弾性部材の付勢力に抗して前記治具ベースの基端側に移動し、前記小径プランジャーが前記開口を通って、前記プリント配線板の配線回路に接触することを特徴とするプリント配線板の検査治具。
【請求項２】
請求項１記載のプリント配線板の検査治具において、
前記小径プランジャーよりも大径に形成され、基端と尖形の先端との間の部分に抜止部を有する導電性の大径プランジャーを備え、
該大径プランジャーは、その先端部が前記治具ベースの先端側に設けられた開口から突出自在に前記治具ベースに収容され、
前記可動板には、前記大径プランジャーの抜止部の先端側の段差部分と接触して該大径プランジャーの前記治具ベース内からの脱落を防止する係止部が設けられ、
前記治具ベース内には、前記大径プランジャーを先端側に付勢する大径プランジャー用弾性部材が収容され、
前記可動板用弾性部材は、該大径プランジャーを介して前記可動板を先端側に付勢する前記大径プランジャー用弾性部材であることを特徴とするプリント配線板の検査治具。
【発明の詳細な説明】
【技術分野】
【０００１】
本発明は、プリント配線板の配線回路の検査を行なう際に用いられるプリント配線板の検査治具に関する。
【背景技術】
【０００２】
従来、プリント配線板の配線回路の検査治具としては、治具ベースに設けられた貫通孔から先端が突出した状態で保持されるプランジャーを備えるものが知られている（例えば、特許文献１参照）。プランジャーは治具ベース内に収容されたスプリングによって先端方向に付勢されている。プランジャー及びスプリングは導電性を有しており、プランジャーとスプリングとは電気的に導通された状態で連接される。
【０００３】
治具ベースは、スプリングを収容するスプリング保持孔を有するスプリング保持板と、スプリング保持板に重合されてスプリングの基端に先端が当接するリード線を固定するリード線固定板とを備えている。リード線は計測手段に接続されている。また、プランジャーは拡径された抜止部を備え、治具ベースの貫通孔に形成された大径孔部で抜け止めされている。このように構成された検査治具は、プランジャーの先端をプリント配線板の配線回路に圧接させ、配線間の抵抗等を計測手段によって計測することによって配線回路の検査を行なう。
【先行技術文献】
【特許文献】
【０００４】
【特許文献１】特開２００２−３５０４８７号公報
【発明の概要】
【発明が解決しようとする課題】
【０００５】
近年、プリント配線板の配線回路が高密度化され、それに伴ってよりいっそう細かい配線回路の検査を行なうことが望まれている。そして、このように高密度化されて細かくなった配線回路の検査を行なうために、プランジャーの縮径化も進んでいる。
【０００６】
ところで、プランジャーの縮径化が進むに従って、プリント配線板とプランジャーとが接触する際などに、プランジャーの先端が折れ曲がってしまうことがある。
【０００７】
本発明は、プランジャーの折れ曲がりを防止することができるプリント配線板の検査治具を提供することを目的とする。
【課題を解決するための手段】
【０００８】
［１］本発明は、基端と尖形の先端との間の部分に抜止部を有する導電性の小径プランジャーと、該小径プランジャーをその先端部が先端側に設けられた開口から突出自在に収容する治具ベースと、該治具ベース内に設けられ、前記小径プランジャーの抜止部の先端側の段差部分と接触して該小径プランジャーの該治具ベース内からの脱落を防止する係止部と、該治具ベースに収容され、該小径プランジャーを先端側に付勢する小径プランジャー用弾性部材とを備え、前記小径プランジャーの先端をプリント配線板の配線回路に接触させ、前記小径プランジャーに電気的に接続される計測手段によって前記配線回路の検査を行うプリント配線板の検査治具において、前記治具ベースの先端側には、前記小径プランジャーが突出自在な前記開口を有し、先端側に向かって進退自在な可動板が設けられ、前記治具ベースには、該可動板を先端側に付勢する可動板用弾性部材が設けられ、前記可動板は、該可動板用弾性部材の付勢力により、前記開口の先端側の縁が前記小径プランジャーの先端よりも先方側に位置するように配置され、前記プリント配線板と前記治具ベースとが相対的に接近するように押し付けられることにより、前記可動板が前記可動板用弾性部材の付勢力に抗して前記治具ベースの基端側に移動し、前記小径プランジャーが前記開口を通って、前記プリント配線板の配線回路に接触することを特徴とする。
【０００９】
本発明によれば、小径プランジャーが治具ベース内に収容された状態となるため、プリント配線板の検査を行うときには、可動板がプリント配線板と最初に接触し、可動板が可動板用弾性部材の付勢力に抗して後退することにより、小径プランジャーがプリント配線板に接触する。従って、小径プランジャー自体に外力が加わり難く、小径プランジャーの先端部の折れ曲がりを防止することができる。
【００１０】
［２］ところで、可動板用弾性部材としては、可動板専用のものを治具ベースに設けることも考えられる。しかしながら、この場合、部品点数が増加するとともに、検査治具の製造・組み付け工程が増加して面倒である。
【００１１】
又、プリント配線板の中には、細い配線回路の他に、太い配線回路を備えるものもある。この太い配線回路に接触させるプランジャーとしては、先端が折れ曲がり難い大径のプランジャーを用いることができる。
【００１２】
そこで、太い配線回路を備えるプリント配線板の検査治具においては、小径プランジャーよりも大径に形成され、基端と尖形の先端との間の部分に抜止部を有する導電性の大径プランジャーを備え、大径プランジャーは、その先端部が治具ベースの先端側に設けられた開口から突出自在に治具ベースに収容され、可動板には、大径プランジャーの抜止部の先端側の段差部分と接触して大径プランジャーの治具ベース内からの脱落を防止する係止部が設けられ、治具ベース内には、大径プランジャーを先端側に付勢する大径プランジャー用弾性部材が収容され、可動板用弾性部材は、大径プランジャーを介して可動板を先端側に付勢する前記大径プランジャー用弾性部材とすることが好ましい。
【００１３】
これにより、可動板専用の弾性部材を新たに追加することなく、大径プランジャー用弾性部材が可動板用弾性部材としての機能も兼ねることとなり、部品点数の増加を防ぎ、検査治具の製造・組み付け工程の増加も防止することができる。
【図面の簡単な説明】
【００１４】
【図１】本発明の実施形態のプリント配線板の検査治具を模式的に示す説明図。
【図２】実施形態のプリント配線板の検査治具を示す断面図。
【図３】実施形態の検査治具の可動板が後退した状態を示す断面図。
【図４】図３の状態から大径プランジャーが更に後退した状態を示す断面図。
【発明を実施するための形態】
【００１５】
図１に模式的に示すように、本実施形態のプリント配線板Ｗの検査治具１は、上下の取付板Ａ１，Ａ２に支柱Ｂ１，Ｂ２を介して取り付けられるものであり、治具ベース２と、治具ベース２に進退自在に収容・保持された複数のプランジャー３と、プランジャー３を先端方向に付勢するプランジャー用弾性部材たるスプリング４（図２参照）とを備える。
【００１６】
プランジャー３は、プリント配線板Ｗの幅の細い配線回路部分Ｗ１ａ，Ｗ２ａに対応させて配置される複数の小径プランジャー３Ｘと、プリント配線板Ｗの幅の太い配線回路部分Ｗ１ｂ，Ｗ２ｂに対応させて配置され、小径プランジャー３Ｘよりも大径に形成された複数の大径プランジャー３Ｙとの２種類で構成される。小径プランジャー３Ｘは細く形成されているため折れ曲がり易く、大径プランジャー３Ｙは太く形成されているため折れ曲がり難い。
【００１７】
図２に示すように、プランジャー３の先端と基端との間の部分には、径方向外方に拡径された抜止部３３が形成されている。大径プランジャー３Ｙの抜止部３３は、小径プランジャー３Ｘの抜止部３３よりも先端側に形成されている。
【００１８】
検査治具１は、プランジャー３の先端をプリント配線板Ｗの配線回路部分Ｗ１，Ｗ２に圧接させて配線間の導通検査を行なうものである。プランジャー３は、導電性を有する金属によって形成され、図２に示すように、その先端３ａは尖形に形成されている。又、プランジャー３は、スプリング４に連接された基端部３１と、治具ベース２の外方に突出自在な先端部３２と、先端部３２と基端部３１との間に位置させて、先端部３２及び基端部３１よりも拡径された抜止部３３とを備える。
【００１９】
スプリング４は、導電性を有する金属製線材により形成され、先端がプランジャー３の基端部３１に電気的に接続された状態で連接される。また、スプリング４の基端は、エナメル線５の切断端面で構成される接点６に当接している。エナメル線５は、図示省略した計測器（計測手段）に接続されている。この計測器は、配線回路の電気的導通を計測するものである。
【００２０】
治具ベース２は、６つの板状部材を積層して構成される。これら６つの板状部材を先端側から基端側に向かって順に（図２では上から順に）、第１〜第６板状部材２１，２２，２３，２４，２５，２６として、可動板としての第１板状部材２１は、プランジャー３の先端部３２を挿通させて案内する第１案内孔２１ａを備える。
【００２１】
第１板状部材２１の大径プランジャー３Ｙに対応する第１案内孔２１ａの基端側には、大径プランジャー３Ｙの抜止部３３の先端縁の段差部分を係止して抜止する第１係止部２１ｂが設けられている。第１板状部材２１の基端側に配置された第２板状部材２２は、プランジャー３を挿通させて案内する第２案内孔２２ａを備える。大径プランジャー３Ｙ側の第２案内孔２２ａは、抜止部３３が通過できるように大径に形成されている。
【００２２】
第２板状部材２２の基端側に配置された第３板状部材２３は、プランジャー３の先端部３２を挿通させて案内する第３案内孔２３ａを備える。第３板状部材２３の小径プランジャー３Ｘに対応する第３案内孔２３ａの基端側には、小径プランジャー３Ｘの抜止部３３の先端縁の段差部分を係止して抜け止する第１係止部２３ｂが設けられている。
【００２３】
第３板状部材２３の大径プランジャー３Ｙに対応する第３案内孔２３ａの先端側には、大径プランジャー３Ｙの抜止部３３の基端縁の段差部分を係止して抜け止めするを第２係止部２３ｃが設けられている。
【００２４】
第３板状部材２３の基端側に重ね合わされた第４板状部材２４は、プランジャー３の基端部３１を挿通させて案内する第４案内孔２４ａと、小径プランジャー３Ｘの抜止部３３の基端縁の段差部分を係止して抜け止めする第２係止部２４ｂとを備えている。第３板状部材２３と第４板状部材２４とが重ね合わされることにより、第１係止部２３ｂと第２係止部２４ｂとの間に小径プランジャー３Ｘの抜止部３３を収容する収容部２ａが画成される。
【００２５】
第４板状部材２４の基端側に重ね合わされた第５板状部材２５（スプリング保持板）は、スプリング４を収容するスプリング収容室２５ａを備える。第５板状部材２５の基端側に重ね合わされた第６板状部材２６（接点保持板）は、貫通孔２６ａを備え、この貫通孔２６ａにエナメル線５が固着されている。
【００２６】
ここで、可動板たる第１板状部材２１は、支柱Ｂ１，Ｂ２の先端部に沿って、先端方向に進退自在とされている。又、第１板状部材２１は、その第１係止部２１ｂで大径プランジャー３Ｙの抜止部３３と係合するため、大径プランジャー３Ｙのスプリング４の付勢力が大径プランジャー３Ｙを介して第１板状部材２１にも伝達され、第１板状部材２１は大径プランジャー３Ｙのスプリング４の付勢力により支柱Ｂ１，Ｂ２の先端側に位置している。
【００２７】
この図２に示す状態から、大径プランジャー３Ｙ又は第１板状部材２１が基端側に押圧されると、図３に示すように、第１板状部材２１は、支柱Ｂ１，Ｂ２に沿って、第２板状部材２２と接触するまで、基端側へと後退する。
【００２８】
大径プランジャー３Ｙは、その軸方向への進退可能な距離である進退ストローク長が、第１板状部材２１の進退ストローク長よりも長く設定されている。従って、図３に示す状態から更に押圧されても、図４に示すように、大径プランジャー３Ｙは更に大径プランジャー用弾性部材たるスプリング４の付勢力に抗して後退することができる。このとき、小径プランジャー３Ｘも後退可能に構成している。
【００２９】
実施形態のプリント配線板Ｗの検査治具１によれば、小径プランジャー３Ｘが治具ベース２内に収容された状態となり、又、プリント配線板Ｗの検査を行うときには、大径プランジャー３Ｙ、又は可動板たる第１板状部材２１がプリント配線板Ｗと最初に接触し、第１板状部材２１が可動板用弾性部材たる大径プランジャー３Ｙ用のスプリング４の付勢力に抗して基端側に向かって後退することにより、小径プランジャー３Ｘが開口たる第１案内孔２１ａを通ってプリント配線板Ｗの細い配線回路部分Ｗ１ａ，Ｗ２ａに接触する。従って、小径プランジャー３Ｘ自体に外力が加わり難く、小径プランジャー３Ｘの先端部の折れ曲がりを防止することができる。
【００３０】
又、大径プランジャー用弾性部材たる大径プランジャー３Ｙ用のスプリング４が可動板用弾性部材としての機能を兼ねているため、可動板専用の弾性部材を新たに追加する場合に比し、検査治具１の部品点数の増加を防ぎ、検査治具１の製造・組み付け工程の増加も防止することができる。
【００３１】
尚、実施形態においては、大径プランジャー３Ｙ用のスプリング４を可動板用弾性部材としているが、これに限らず、可動板専用の弾性部材を設けてもよく、この場合でも、小径プランジャー３Ｘを治具ベース２内に収容して折れ曲がりを防止するという本発明の効果を得ることができ、又、大径プランジャー３Ｙを有しない検査治具にも適用可能となる。
【００３２】
この場合、例えば、可動板用弾性部材としてのスプリングを、支柱Ｂ１，Ｂ２に軸支させるとともに、第１板状部材２１と第２板状部材２２の間に配置して構成することができる。
【符号の説明】
【００３３】
１…プリント配線板の検査治具、２…治具ベース、２ａ…収容部、２１…第１板状部材（可動板）、２１ａ…第１案内孔（開口）、２１ｂ…第１係止部（大径プランジャー用）、２２…第２板状部材、２２ａ…第２案内孔、２３…第３板状部材、２３ａ…第３案内孔、２３ｂ…第１係止部（小径プランジャー用）、２３ｃ…第２係止部（大径プランジャー用）、２４…第４板状部材、２４ａ…第４案内孔、２４ｂ…第２係止部（小径プランジャー用）、２５…第５板状部材、２５ａ…スプリング収容室、２６…第６板状部材、２６ａ…貫通孔、３…プランジャー、３Ｘ…小径プランジャー、３Ｙ…大径プランジャー、３ａ…先端、３１…基端部、３２…先端部、３３…抜止部、４…スプリング（弾性部材）、５…エナメル線、６…接点、Ａ１，Ａ２…取付板、Ｂ１，Ｂ２…支柱、Ｗ…プリント配線板、Ｗ１ａ，Ｗ２ａ…細い配線回路部分、Ｗ１ｂ，Ｗ２ｂ…太い配線回路部分。
【図１】
2011252795.tif 000003
【図２】
2011252795.tif 000004
【図３】
2011252795.tif 000005
【図４】
2011252795.tif 000006